(57)【特許請求の範囲】
【請求項１】
開口部を有する本体ケースと、前記本体ケースに開口部から挿入され本体ケースに固定されたホルダとを有する電子部品であって、
前記ホルダは、ホルダを前記本体ケースに係止固定するためのホルダ係止爪と、ホルダの前記本体ケースへの挿入方向と同方向から差し込まれる配線接続用のコネクタと接続できるコネクタ接続部とを備え、
前記ホルダ係止爪は、前記コネクタ接続部に配線接続用のコネクタが差し込まれているときに前記本体ケースとの係止が解除される方向への変形が該コネクタに当接することによって阻止されるように設けられており、
前記ホルダのコネクタ接続部にコネクタ差し込み孔を形成するとともに、このコネクタ差し込み孔に臨む位置であって、コネクタが差し込まれているとコネクタの外面が係止解除方向への変形を阻止する位置に前記ホルダ係止爪を設け、本体ケースに形成した係止孔に前記ホルダ係止爪を内方から係止させる、電子部品。
【請求項２】
前記コネクタ接続部は、配線接続用のコネクタを係止するコネクタ係止機構を備える請求項１に記載の電子部品。
【請求項３】
前記コネクタ接続部を、前記本体ケース内に位置させて設けてある請求項１または２に記載の電子部品。
【請求項４】
開口部を有する本体ケースと、前記本体ケースに開口部から挿入され本体ケースに固定されたホルダとを有するフォトマイクロセンサであって、
前記ホルダは、ホルダを前記本体ケースに係止固定するためのホルダ係止爪と、ホルダの前記本体ケースへの挿入方向と同方向から差し込まれる配線接続用のコネクタと接続できるコネクタ接続部とを備え、
前記ホルダ係止爪は、前記コネクタ接続部に配線接続用のコネクタが差し込まれているときに前記本体ケースとの係止が解除される方向への変形が該コネクタに当接することによって阻止されるように設けられ、
前記本体ケースは、前記ホルダの挿入方向に伸びた、内部がケース内部とつながった空洞となっている２つの突起を有し、
前記ホルダは、前記本体ケースへの挿入方向の端部に発光素子および受光素子を備え、
前記発光素子は、一方の前記突起の内部空洞に配置され、
前記受光素子は、他方の前記突起の内部空洞に配置される、フォトマイクロセンサ。
【発明の詳細な説明】
【０００１】
【発明の属する技術分野】
本発明は、電子部品およびフォトマイクロセンサ（フォトインタラプタ）に係り、特には、配線接続用にコネクタを使用するコネクタ付きの電子部品およびフォトマイクロセンサに関する。
【０００２】
【従来の技術】
コネクタ付きの電子部品は、機能部を備えたホルダを本体ケースに形成した装着孔に圧入して本体ケースに係止連結し、このホルダの外側端部に設けたコネクタ接続部に、配線接続用のコネクタをホルダ挿入方向と同方向から差し込んで係止連結するよう構成されている。
【０００３】
この種の電子部品の一例である従来のコネクタ付きのフォトマイクロセンサは、図７，図８に示すように、本体ケース３０に形成した装着孔３１に圧入されたホルダ３２は、本体ケース３０の係止孔３３とホルダ３２側の係止爪３４によって係止連結され、このホルダ３２の外端部に端子３５群が突設されるとともに、本体ケース３０の外端部にコネクタ接続片３６がが突設され、コード３７を接続したコネクタ３８が端子３５群に差し込まれると、コネクタ３８の下面に設けた係合突起３９がコネクタ接続片３６に形成した係止孔４０に係入されるようになっていた。
【０００４】
【発明が解決しようとする課題】
しかし、上記従来構造のフォトマイクロセンサにおいては、コネクタ接続片３６が比較的変形が容易な突片状であったために、コネクタ３８とコネクタ接続片３６の係止連結強度が必ずしも十分でなく、このために、コネクタ３８を接続しても、他の機器の配線の際などに、誤ってコネクタ３８のコード３７を引っ張ってしまうと、比較的容易にコネクタ３８が外れてしまうおそれがあった。
【０００５】
また、従来のフォトマイクロセンサでは、端子３５およびコネクタ接続片３６が本体ケース３０から突出しているために、部品全体が大型化しやすいのみならず、コネクタ３８が外されている状態で、突出している端子３５やコネクタ接続片３６に不用意に接触してこれらを変形あるいは損傷させるおそれもあった。
【０００６】
本発明は、このような点に着目してなされたものであって、コネクタを一旦接続したら容易に外れないコネクタ付きの電子部品を提供することを主たる目的とし、さらに、電子部品の小型化を図るとともに耐久性に優れたものにすることを他の目的とするものである。
【０００７】
【課題を解決するための手段】
本発明では、上記目的を達成するために、次のように構成している。
【０００８】
すなわち、本発明の電子部品は、開口部を有する本体ケースと、前記本体ケースに開口部から挿入され本体ケースに固定されたホルダとを有する電子部品であって、前記ホルダは、ホルダを前記本体ケースに係止固定するためのホルダ係止爪と、ホルダの前記本体ケースへの挿入方向と同方向から差し込まれる配線接続用のコネクタと接続できるコネクタ接続部とを備え、前記ホルダ係止爪は、前記コネクタ接続部に配線接続用のコネクタが差し込まれているときに前記本体ケースとの係止が解除される方向への変形が該コネクタに当接することによって阻止されるように設けられており、前記ホルダのコネクタ接続部にコネクタ差し込み孔を形成するとともに、このコネクタ差し込み孔に臨む位置であって、コネクタが差し込まれているとコネクタの外面が係止解除方向への変形を阻止する位置に前記ホルダ係止爪を設け、本体ケースに形成した係止孔に前記ホルダ係止爪を内方から係止させるものである。
【０００９】
ここで、コネクタ接続部とは、配線接続用のコネクタの形状およびコンタクトに対応した形状およびコタクトを有し、配線接続用のコネクタが、抜き差しされる部分をいう。
【００１０】
挿入方向と同方向とは、配線接続用のコネクタを、コネクタ接続部から抜き外す際に、ホルダを本体ケースから抜き出させる方向へ力が作用する方向を含むものであって、挿入方向とほぼ同じ方向あるいは若干傾斜した方向を含むものである。
【００１１】
本発明によると、配線接続用のコネクタを一旦ホルダのコネクタ接続部に差し込んで接続すると、本体ケースとホルダとを係止固定するホルダ係止爪の係止解除方向への変形が、コネクタによって当接阻止されることになり、コネクタが差し込み装着された状態では、本体ケースとホルダとの係止固定が外れることはない。
【００１２】
従って、ホルダのコネクタ接続部とコネクタとの係止連結強度を強くして、コネクタが不用意に外されないようにした場合、コネクタをホルダから抜き外す操作を行うと、コネクタに強く係止連結されたホルダもコネクタと共に大きい力で抜き出されようとするが、上記のようにコネクタが差し込み装着された状態では、本体ケースとホルダとの係止固定が外れることはないので、コネクタだけが抜き外されることになる。
【００１４】
本発明によると、コネクタの外面そのものが、本体ケースとホルダとを係止固定するホルダ係止爪の変形を阻止する部分となるので、強度の高いコネクタ外面は、ホルダ係止爪の係止解除方向への変形阻止機能を確実に発揮する。また、特別な形状の変形阻止部を必要としないので、コネクタの形状も簡単ですみ、金型コストを節減しながら所期の機能を得ることができる。
【００１５】
また、本発明の好ましい実施態様においては、前記コネクタ接続部は、配線接続用のコネクタを係止するコネクタ係止機構を備えている。
【００１６】
本発明によると、ホルダのコネクタ接続部とコネクタとの連結強度を高くすることができ、しかも、コネクタをホルダから抜き外す際に、本体ケースに挿入されたホルダが、本体ケースから抜け出てしまうことがない。
【００１７】
前記コネクタ係止機構として、ホルダには、コネクタ外面に設けた係合突起に係合する板片状の係止爪を設け、この係止爪を、板片の幅方向への弾性変形によって前記係合突起に係止されるようにしてもよい。
【００１８】
かかるコネクタ係止機構によると、板片状の係止爪を板幅方向に変形させるには大きい力が必要であり、ホルダの係止爪とコネクタの係合突起との係止連結強度は十分高いものとなる。したがって、係止爪を薄い小型のものにしても、十分高い係止連結強度を確保することができ、その結果、係止爪を備えたコネクタ接続部の大型化や厚肉化を抑制して全体の小型化を図りながら、コネクタの耐抜け出し性能の高い電子部品を得ることができる。
【００１９】
本発明の好ましい実施態様においては、前記コネクタ接続部を、前記本体ケース内に位置させて設けてある。
【００２０】
本発明によると、コネクタ接続部を本体ケースの内部に配備するので、ホルダに備えた端子を本体ケースから突設させない状態で装備することができ、端子をケース端から突出させていた従来品に比べて全長を短くして小型化を図ることが可能となった。また、端子を変形あるいは損傷するおそれもなくなり、保全性に優れた電子部品を構成する上で有効となる。
【００２１】
また、本発明のフォトマイクロセンサは、開口部を有する本体ケースと、前記本体ケースに開口部から挿入され本体ケースに固定されたホルダとを有するフォトマイクロセンサであって、前記ホルダは、ホルダを前記本体ケースに係止固定するためのホルダ係止爪と、ホルダの前記本体ケースへの挿入方向と同方向から差し込まれる配線接続用のコネクタと接続できるコネクタ接続部とを備え、前記ホルダ係止爪は、前記コネクタ接続部に配線接続用のコネクタが差し込まれているときに前記本体ケースとの係止が解除される方向への変形が該コネクタに当接することによって阻止されるように設けられ、前記本体ケースは、前記ホルダの挿入方向に伸びた、内部がケース内部とつながった空洞となっている２つの突起を有し、前記ホルダは、前記本体ケースへの挿入方向の端部に発光素子および受光素子を備え、前記発光素子は、一方の前記突起の内部空洞に配置され、前記受光素子は、他方の前記突起の内部空洞に配置されるものである。
【００２２】
本発明によると、ホルダのコネクタ接続部とコネクタとの係止連結強度を十分に強くすることができ、コネクタが不用意に外されることのない実用性に優れた小型のフォトマイクロセンサを得ることができる。
【００２３】
【発明の実施の形態】
以下、本発明を、コネクタ付きの電子部品の一例としての溝形のフォトマイクロセンサに適用した一実施形態を図面に基づき説明する。
【００２４】
図１にコネクタ付きフォトマイクロセンサの本体部分１の分解斜視図が、図２にフォトマイクロセンサの本体部分１と抜き外されたコネクタ２の斜視図が、図３にコネクタ２を装着したフォトマイクロセンサの全体斜視図が、また、図４にコネクタ２を装着したフォトマイクロセンサの内部を透視した斜視図がそれぞれ示されている。
【００２５】
図１に示すように、このフォトマイクロセンサの本体部分１は、本体ケース３と、この本体ケース３の後端部に開口された装着孔４に挿入止着されるホルダ５とからなる。
【００２６】
図５の横断平面図に示されるように、本体ケース３の前部には、前記装着孔４の内奥に連なる空間（空洞）を備えた左右一対の突起である検出ケース部分３ａが形成され、両検出ケース部分３ａの間に被検出体通過用の検出溝６が形成され、かつ、後部には左右一対の取付け座３ｂが形成されている。
【００２７】
ホルダ５の前部には、左右一対の素子装着部５ａが所定の左右間隔をもって突設されるとともに、後部に略筒状のコネクタ接続部５ｂが設けられ、素子装着部５ａとコネクタ接続部５ｂとがブリッジ部５ｃによって繋がれた形状に形成されている。そして、各素子装着部５ａの外側面に沿って発光素子７と受光素子８が配備されるとともに、素子装着部５ａとコネクタ接続部５ｂとに亘ってプリント基板９が嵌め込み装着され、発光素子７および受光素子８はリード端子７ａ，８ａを介してプリント基板９の表裏面に形成された回路パターンにハンダ付けされている。
【００２８】
筒状のコネクタ接続部５ｂには後方に向けて開口された横長角形のコネクタ差込み孔１０が形成され、このコネクタ差込み孔１０の内奥部に３本の接続端子１１が並列して突設されるとともに、これら接続端子１１の前端部がプリント基板９の表面に形成された回路パターンにハンダ付けされている。
【００２９】
また、コネクタ接続部５ｂの左右端部近くに、このホルダ５を本体ケース３に係止連結するための第１のホルダ係止爪１２が片持ち状に突設されるとともに、コネクタ接続部５ｂの下面の左右中央部位に、コネクタ差込み孔１０に臨んで１本の第２のホルダ係止爪１３が片持ち状に設けられている。
【００３０】
以上のように構成されたホルダ５は、本体ケース３の装着孔４に後方から圧入されることで、コネクタ装着部５ｂが装着孔４に内嵌密着されて完全に没入するようになっており、この装着状態では、発光素子７および受光素子８を備えた左右の素子装着部５ａが検出ケース部分３ａの内部空間に挿入され、発光素子７から発せられた検出光が、各素子装着部５ａの小孔１４および各検出ケース部分３ａの対向内側壁に形成したスリット１５を通して受光素子８に届くように組付けられる。
【００３１】
また、ホルダ５が本体ケース３の装着孔４に挿入された状態では、左右の第１のホルダ係止爪１２が、本体ケース３の左右に形成された係止孔１６に内方から係止されるとともに、中央下方の第２のホルダ係止爪１３が、本体ケース３における下壁の後部に形成された係止孔１７に内方から係止されることで、ホルダ５が本体ケース３に対して係止固定される。この実施の形態では、ホルダ５は、コネクタ２によって後述のように変形阻止される第２のホルダ係止爪１３のみならず別の第１のホルダ係止爪１２によっても本体ケース３に係止連結されるので、複数の係止連結によってホルダ５を確実に本体ケース３に連結することができる。  前記コネクタ２は、ホルダ５におけるコネクタ装着部５ｂのコネクタ差込み孔１０に密に嵌入する偏平な角ブロック形状に形成されており、コネクタ内には、コネクタ差込み孔１０の内奥のピン状の接続端子１１に接触導通される３本のコンタクト（図示しない）が組込まれ、それぞれがコード１８のリード線１８ａに接続されている。
【００３２】
また、コネクタ２の上側面には変形不能な左右一対の係合突起１９が設けられるとともに、ホルダ５におけるコネクタ接続部５ｂの上壁には、コネクタ係止機構として、前記係合突起１９に弾性係合する係止爪２０が設けられている。この係止爪２０は上下厚さに比べて左右幅が大きい板片状に形成され、係合突起１９の圧入に伴って横外方に弾性変形して、係合突起１９に横外方から係合するよう構成されている。
【００３３】
また、コネクタ２の下側面は偏平に形成され、コネクタ２がコネクタ接続部５ｂのコネクタ差込み孔１０に差し込み装着された状態では、この下側面がホルダ５の第２のホルダ係止爪１３に内方から近接対向し、第２のホルダ係止爪１３がコネクタ差込み孔１０の内方、つまり、係止孔１７に対する係止解除方向に変形するのを当接阻止する変形規制部ｓとして機能するよう構成されている。
【００３４】
したがって、コネクタ２が差し込み装着された状態では、本体ケース３とホルダ５との係止連結が外れることはなく、ホルダ５のコネクタ接続部５ｂとコネクタ２との係止連結強度を強くして、コネクタ２が不用意に外されないようにした場合、コネクタ２をホルダ５から抜き外す操作を行うと、コネクタ２に強く係止連結されたホルダ５もコネクタ２と共に大きい力で抜き出されようとするが、上記のようにコネクタ２が差し込み装着された状態では、本体ケース３とホルダ５との係止連結が外れることはないので、コネクタ２だけが抜き外されることになる。
【００３５】
なお、本発明は、以下のような形態で実施することも可能である。
【００３６】
▲１▼  前記第１のホルダ係止爪１２を省略して、第２のホルダ係止爪１３だけでホルダ５を本体ケース３に係止連結することもできる。この場合、ホルダ係止爪１３を複数個使用するもよい。
【００３７】
▲２▼  コネクタ２とホルダ５との係止連結の構造は上記形態に限られるものではなく、周知の係止構造を係止連結強度の高いものにして利用すればよい。
【００３８】
▲３▼  本発明は、反射型のフォトマイクロセンサに適用することもできる。
【００３９】
▲４▼  本発明は、フォトマイクロセンサのみならず、車載用のリレーなどのコネクタ付きの各種電子部品に適用することができる。
【００４０】
【発明の効果】
以上の説明から明らかなように、本発明によれば、ホルダがコネクタと共に抜き出されることがないので、ホルダのコネクタ接続部とコネクタとの係止連結強度を十分に強くすることができ、コネクタが不用意に外されることのないコネクタ付きの電子部品およびフォトマイクロセンサを構成することが容易となった。
【図面の簡単な説明】
【図１】フォトマイクロセンサの本体部分の分解斜視図である。
【図２】フォトマイクロセンサの本体部分と抜き外されたコネクタの斜視図である。
【図３】コネクタを装着したフォトマイクロセンサの全体斜視図である。
【図４】コネクタを装着したフォトマイクロセンサの内部を透視した斜視図である。
【図５】コネクタを装着したフォトマイクロセンサの横断平面図である。
【図６】コネクタを装着したフォトマイクロセンサの縦断側面図である。
【図７】従来のフォトマイクロセンサの本体部分と抜き外されたコネクタの斜視図である。
【図８】コネクタを装着した従来のフォトマイクロセンサの斜視図である。
【符号の説明】
１              本体部分
２              コネクタ
３              本体ケース
５              ホルダ
５ｂ            コネクタ接続部
７              発光素子
８              受光素子
１２            第１のホルダ係止爪
１３            第２のホルダ係止爪
ｓ              変形規制部
【図１】
0003721887.tif 000002
【図２】
0003721887.tif 000003
【図３】
0003721887.tif 000004
【図４】
0003721887.tif 000005
【図５】
0003721887.tif 000006
【図６】
0003721887.tif 000007
【図７】
0003721887.tif 000008
【図８】
0003721887.tif 000009